(57)【要約】  セキュリティ上の問題が生じることを防止しつつ、利用者の端末装置を用いて設備機器を操作することができる設備機器制御装置を提供する。この発明に係る設備機器制御装置（１）は、建物内の複数の管理対象エリアへの入退を管理する入退管理装置（４）から取得された情報に基づいて利用者が管理対象エリアに入場したことが検出された場合に、当該利用者の端末装置に対する操作に基づいて当該管理対象エリアに設置されている設備機器（２）を制御する機器制御部（９）、を備える。
2019064536.tif 000002
【特許請求の範囲】
【請求項１】
建物内の複数の管理対象エリアへの入退を管理する入退管理装置から取得された情報に基づいて利用者が管理対象エリアに入場したことが検出された場合に、当該利用者の端末装置に対する操作に基づいて当該管理対象エリアに設置されている設備機器を制御する機器制御部、
を備えた設備機器制御装置。
【請求項２】
管理対象エリアに入場した利用者の端末装置に対し、予め作成された権限テーブルに登録されている当該利用者の権限情報を送信する権限情報送信部、
を更に備え、
前記機器制御部は、前記権限情報送信部から受信した権限情報に応じて利用者の端末装置に表示された設備操作画面に対する操作に基づいて、当該利用者が入場した管理対象エリアに設置されている設備機器を制御する請求項１に記載の設備機器制御装置。
【請求項３】
前記機器制御部は、利用者の端末装置に対する操作に基づいて、建物内の管理対象エリアのうち前記権限テーブルにおいて当該利用者の権限情報に含まれている管理対象エリアに設置されている設備機器を制御する請求項２に記載の設備機器制御装置。
【請求項４】
前記機器制御部は、利用者の端末装置に対する操作に基づいて、利用者が入場した管理対象エリアに設置されている設備機器のうち前記権限テーブルにおいて当該利用者の権限情報に含まれている設備機器を制御する請求項２又は請求項３に記載の設備機器制御装置。
【請求項５】
前記機器制御部は、利用者の端末装置に対する操作に基づいて、設備機器の機能のうち前記権限テーブルにおいて当該利用者の権限情報に含まれている機能を制御する請求項２から請求項４のいずれか１項に記載の設備機器制御装置。
【請求項６】
前記機器制御部は、利用者が管理対象エリアに入場したことが検出された場合に、設備機器を制御するために当該利用者の端末装置に対して過去に行われた操作履歴に基づいて、当該管理対象エリアに設置されている同種の設備機器を制御する請求項２から請求項５のいずれか１項に記載の設備機器制御装置。
【請求項７】
前記機器制御部は、利用者が第１の管理対象エリアに入場したことが検出された後に当該利用者が第２の管理対象エリアに入場したことが検出された場合に、当該利用者の端末装置に対する操作に基づく第１の管理対象エリアに設置されている設備機器の制御を終了する請求項１から請求項６のいずれか１項に記載の設備機器制御装置。
【請求項８】
前記機器制御部は、利用者が管理対象エリアから退場したことが検出された場合に、当該利用者の端末装置に対する操作に基づく当該管理対象エリアに設置されている設備機器の制御を終了する請求項１から請求項７のいずれか１項に記載の設備機器制御装置。
【請求項９】
前記機器制御部は、利用者が建物から出たことが検出された場合に、当該利用者の端末装置に対する操作に基づく管理対象エリアに設置されている設備機器の制御を終了する請求項１から請求項８のいずれか１項に記載の設備機器制御装置。
【請求項１０】
前記機器制御部は、管理対象エリアに設置されている空調装置及び照明器具の少なくとも一方を制御する請求項１から請求項９のいずれか１項に記載の設備機器制御装置。
【発明の詳細な説明】
【技術分野】
【０００１】
この発明は、設備機器制御装置に関する。
【背景技術】
【０００２】
建物内の空調装置又は照明器具等の設備機器は、例えば、壁面に固定された専用のリモコンで操作される。この場合、利用者は、設備機器を操作するためにリモコンの位置まで歩いていく必要がある。利用者の端末装置を用いて設備機器を操作することができれば、利便性が向上し得る。リモコンとは異なる機器を用いて設備機器を操作する技術として、例えば、下記特許文献１に記載されたものがある。
【先行技術文献】
【特許文献】
【０００３】
【特許文献１】日本特開２０１５−１２５６９３号公報
【発明の概要】
【発明が解決しようとする課題】
【０００４】
利用者の端末装置で設備機器を操作可能にすると、例えば、部屋に居ない利用者によって当該部屋の設備機器が操作され得る。この場合、セキュリティ上の問題が生じる。【０００５】
この発明は、上記の課題を解決するためになされた。その目的は、セキュリティ上の問題が生じることを防止しつつ、利用者の端末装置を用いて設備機器を操作することができる設備機器制御装置を提供することである。
【課題を解決するための手段】
【０００６】
この発明に係る設備機器制御装置は、建物内の複数の管理対象エリアへの入退を管理する入退管理装置から取得された情報に基づいて利用者が管理対象エリアに入場したことが検出された場合に、当該利用者の端末装置に対する操作に基づいて当該管理対象エリアに設置されている設備機器を制御する機器制御部、を備える。
【発明の効果】
【０００７】
この発明によれば、管理対象エリアに入場した利用者の端末装置に対する操作に基づいて当該管理対象エリアに設置されている設備機器が制御される。このため、セキュリティ上の問題が生じることを防止しつつ、利用者の端末装置を用いて設備機器を操作することができる。
【図面の簡単な説明】
【０００８】
【図１】実施の形態１における設備機器制御システムの構成図である。
【図２】実施の形態１における設備機器制御装置の機能ブロック図である。
【図３】実施の形態１における設備操作画面の第１の例を示す図である。
【図４】実施の形態１における設備機器制御システムの動作例を示すシーケンス図である。
【図５】実施の形態１における建物内のレイアウトの一例を示す模式図である。
【図６】実施の形態１における権限テーブルの一例である。
【図７】実施の形態１における設備操作画面の第２の例を示す図である。
【図８】実施の形態１における設備操作画面の第３の例を示す図である。
【図９】実施の形態１における設備操作画面の第４の例を示す図である。
【図１０】実施の形態１における設備操作画面の第５の例を示す図である。
【図１１】設備機器制御装置のハードウェア構成図である。
【発明を実施するための形態】
【０００９】
添付の図面を参照して、この発明を実施するための形態について説明する。各図では、同一又は相当する部分に同一の符号が付される。重複する説明は、適宜簡略化あるいは省略する。
【００１０】
実施の形態１．
図１は、実施の形態１における設備機器制御システムの構成図である。設備機器制御システムは、例えば、複数の部屋を有する建物に適用される。
【００１１】
設備機器制御システムは、設備機器制御装置１を備える。設備機器制御装置１は、例えば、建物内における通常の居室とは異なる場所に設置されている。設備機器制御装置１は、建物内に設置された複数の設備機器２と電気的に接続されている。
【００１２】
図１は、設備機器２として、室内に設置された空調装置２ａ及び照明器具２ｂを例示している。なお、設備機器２は、例えば、換気扇及び電動のブラインド等であってもよい。
【００１３】
設備機器制御装置１は、利用者が使用する端末装置と通信可能である。端末装置は、例えば、無線通信機能を有する携帯端末３である。携帯端末３は、例えば、携帯電話、スマートフォン又はタブレット端末等である。携帯端末３は、例えば、室内に設置された図示しない無線通信装置を介して設備機器制御装置１と通信を行う。
【００１４】
建物内には、入退管理装置４が設置されている。入退管理装置４は、建物内の複数の管理対象エリアへの入退を管理する。つまり、建物には入退管理システムが適用されている。
【００１５】
入退管理装置４は、例えば、ドア５の電気錠６、リーダー７及びサーバー８と電気的に接続されている。電気錠６は、例えば、管理対象エリアとして設定されている部屋のドア５に設けられている。リーダー７は、例えば、管理対象エリアの外に設けられている。リーダー７は、例えば、電気錠６が設けられたドア５に対応して設けられている。サーバー８は、例えば、入退管理に関する情報を記憶する情報記憶部である。
【００１６】
リーダー７は、利用者の個人ＩＤを読み取る。リーダー７は、例えば、利用者が携帯する識別体から無線通信で個人ＩＤを読み取る。識別体としては、例えば、利用者の携帯端末３が用いられる。識別体は、例えば、ＩＣカード又はＩＣタグ等であってもよい。また、リーダー７は、例えば、利用者の指紋、声紋、網膜又は虹彩等を個人ＩＤとして読み取ってもよい。
【００１７】
リーダー７は、読み取った個人ＩＤを入退管理装置４に送信する。入退管理装置４は、リーダー７で読み取られた個人ＩＤを照合用ＩＤと照合する。入退管理装置４は、照合用ＩＤと一致する個人ＩＤを認証する。入退管理装置４は、照合用ＩＤと一致しない個人ＩＤを認証しない。照合用ＩＤは、例えば、サーバー８に予め記憶されている。
【００１８】
入退管理装置４は、リーダー７で読み取られた個人ＩＤが認証された場合、当該リーダー７に対応するドア５の電気錠６を解錠する。入退管理装置４は、リーダー７で読み取られた個人ＩＤが認証されなかった場合、当該リーダー７に対応するドア５の電気錠６を解錠しない。
【００１９】
入退管理装置４は、リーダー７で読み取られた個人ＩＤが認証された場合、入退履歴を保存する。入退履歴には、例えば、認証日時、認証された個人ＩＤ及びリーダー７に対応するドア５から通じる管理対象エリア等を示す情報が関連付けられた状態で含まれる。つまり、入退履歴は、いつ誰がどの管理対象エリアに入場したかを示す。入退履歴は、例えば、個人ＩＤが認証されるたびにサーバー８に記憶される。
【００２０】
なお、照合用ＩＤ及び入退履歴は、例えば、サーバー８ではなく入退管理装置４に記憶されてもよい。
【００２１】
設備機器制御装置１は、例えば、入退管理装置４と通信可能である。設備機器制御装置１は、例えば、入退管理装置４から取得された情報に基づいて設備機器２を制御する。
【００２２】
なお、設備機器制御装置１は、例えば、サーバー８と通信可能であってもよい。この場合、設備機器制御装置１は、情報をサーバー８から直接取得してもよい。
【００２３】
図２は、実施の形態１における設備機器制御装置の機能ブロック図である。
【００２４】
図２に示すように、設備機器制御装置１は、例えば、機器制御部９、エリア情報取得部１０、機器情報取得部１１、権限情報送信部１２及び記憶部１３を備える。
【００２５】
機器制御部９は、設備機器２を制御する。機器制御部９による制御は、例えば、設備機器２の電源をＯＮ又はＯＦＦすることを含む。機器制御部９による制御は、例えば、空調装置２ａの設定温度、風量及び風向等を変更することを含む。機器制御部９による制御は、例えば、照明器具２ｂの明るさを変更することを含む。
【００２６】
機器制御部９は、例えば、部屋の壁面に設けられたスイッチ又はリモコン等に対する操作に基づいて設備機器２を制御する。
【００２７】
機器制御部９は、例えば、利用者の携帯端末３に対する操作に基づいて設備機器２を制御する。この操作は、例えば、携帯端末３に表示された設備操作画面に対する操作である。設備操作画面は、例えば、携帯端末３にインストールされた設備操作用アプリケーションによって表示される。
【００２８】
携帯端末３は、例えば、設備操作用アプリケーションが起動された場合に、個人ＩＤを設備機器制御装置１に送信する。
【００２９】
エリア情報取得部１０は、例えば、入退履歴に含まれる情報を入退管理装置４から取得する。エリア情報取得部１０は、例えば、設備機器制御装置１が携帯端末３から個人ＩＤを受信した場合に、入退履歴において当該個人ＩＤと関連付けられている管理対象エリアを示すエリア情報を取得する。これにより、設備機器制御装置１は、利用者が建物内の管理対象エリアに入場したことを検出する。
【００３０】
機器情報取得部１１は、例えば、エリア情報取得部１０によって取得されたエリア情報が示す管理対象エリアに設置されている個々の設備機器２を特定する情報を設備配置テーブルから取得する。
【００３１】
設備配置テーブルは、例えば、各管理対象エリアに存在する個々の設備機器２を示す情報が管理対象エリアごとに登録されているテーブルである。なお、例えば、１つの管理対象エリア内に複数の区画が設定されている場合、設備配置テーブルには、個々の設備機器２を示す情報が区画ごとに登録されてもよい。設備配置テーブルは、例えば、記憶部１３に予め記憶されている。
【００３２】
権限情報送信部１２は、例えば、設備機器制御装置１が携帯端末３から受信した個人ＩＤを持つ利用者の権限情報を権限テーブルから取得し、当該携帯端末３に対して送信する。つまり、権限情報送信部１２は、管理対象エリアに入場したことが検出された利用者の携帯端末３に対して権限情報を送信する。
【００３３】
権限テーブルは、例えば、各利用者に与えられている設備機器２の操作権限を示す権限情報が個人ＩＤごとに登録されているテーブルである。権限テーブルは、例えば、記憶部１３に予め記憶されている。
【００３４】
利用者の権限情報には、例えば、当該利用者による設備機器２の操作が許可されている管理対象エリアを示す情報が含まれ得る。
【００３５】
利用者の権限情報には、例えば、管理対象エリアのうち当該利用者による設備機器２の操作が許可されている区画を示す情報が含まれ得る。
【００３６】
利用者の権限情報には、例えば、当該利用者による操作が許可されている設備機器２の種類を示す情報が含まれ得る。
【００３７】
利用者の権限情報には、例えば、当該利用者による操作が許可されている個々の設備機器２を示す情報が含まれ得る。
【００３８】
利用者の権限情報には、例えば、設備機器２の機能のうち当該利用者による操作が許可されている機能を示す情報が含まれ得る。
【００３９】
利用者の権限情報には、例えば、当該利用者に与えられている操作権限に対応する設備操作画面を示す情報が含まれ得る。
【００４０】
権限情報送信部１２は、例えば、エリア情報取得部１０によって取得されたエリア情報と同じ管理対象エリアを示す情報が含まれる権限情報を送信する。つまり、権限情報送信部１２は、例えば、管理対象エリアに入場した利用者の携帯端末３に対し、当該利用者の権限情報のうち当該管理対象エリアに関係する情報を送信する。
【００４１】
権限情報送信部１２は、例えば、エリア情報取得部１０によって取得されたエリア情報と同じ管理対象エリアを示す情報が含まれていない権限情報を送信しない。つまり、権限情報送信部１２は、例えば、管理対象エリアに入場した利用者の携帯端末３に対し、当該利用者の権限情報のうち他の管理対象エリアに関係する情報を送信しない。
【００４２】
携帯端末３は、権限情報送信部１２から権限情報を受信すると、当該権限情報に応じた設備操作画面を表示する。なお、設備操作画面の文字及び画像等のデータは、権限情報に含まれていてもよいし、予め携帯端末３に記憶されていてもよい。
【００４３】
図３は、実施の形態１における設備操作画面の第１の例を示す図である。
【００４４】
図３に示す設備操作画面は、空調ＯＮボタン、空調ＯＦＦボタン、照明ＯＮボタン及び照明ＯＦＦボタンを備えている。図３は、利用者が入場した管理対象エリアに設置されている空調装置２ａ及び照明器具２ｂの電源をＯＮ及びＯＦＦする操作権限が当該利用者に与えられている場合を例示している。
【００４５】
携帯端末３は、利用者によって設備操作画面が操作されると、当該操作に応じた制御命令を設備機器制御装置１に対して送信する。
【００４６】
機器制御部９は、携帯端末３から送信された制御命令に基づいて設備機器２を制御する。この際に、機器制御部９は、例えば、機器情報取得部１１によって設備配置テーブルから取得された情報に基づいて、どの設備機器２が制御対象であるのかを特定する。
【００４７】
図４は、実施の形態１における設備機器制御システムの動作例を示すシーケンス図である。
【００４８】
利用者は、例えば、管理対象エリアである部屋のドア５付近に設置されたリーダー７に携帯端末３をかざすことで、個人ＩＤを読み取らせる。リーダー７で読み取られた個人ＩＤは、入退管理装置４に送信される（ステップＳ１０１）。個人ＩＤが認証されると（ステップＳ１０２）、入退管理装置４から電気錠６に対して解錠信号が送信される（ステップＳ１０３）。解錠信号を受信した電気錠６は、解錠される（ステップＳ１０４）。
【００４９】
部屋に入った利用者が携帯端末３にインストールされている設備操作用アプリケーションを起動させると（ステップＳ１０５）、携帯端末３から設備機器制御装置１に対して個人ＩＤが送信される（ステップＳ１０６）。設備機器制御装置１は、受信した個人ＩＤについて入退管理装置４に問い合わせる（ステップＳ１０７）。入退管理装置４は、問い合わせを受けた個人ＩＤが含まれている入退履歴を読み出す（ステップＳ１０８）。入退管理装置４は、当該入退履歴に含まれている管理対象エリアを示すエリア情報を設備機器制御装置１に対して送信する（ステップＳ１０９）。
【００５０】
設備機器制御装置１は、例えば、ステップＳ１０６で受信した個人ＩＤと関連付けられた権限情報のうち、ステップＳ１０９で受信したエリア情報と同じ管理対象エリアを示す情報が含まれる権限情報のみを携帯端末３に送信する（ステップＳ１１０）。設備操作用アプリケーションは、受信した権限情報の内容に応じた設備操作画面を表示する。
【００５１】
利用者が設備操作画面に対する操作を行うと（ステップＳ１１１）、携帯端末３から設備機器制御装置１に対して当該操作に応じた制御命令が送信される（ステップＳ１１２）。設備機器制御装置１は、設備機器２に対して制御命令を送信する（ステップＳ１１３）。設備機器２の設定は、制御命令に基づいて変更される（ステップＳ１１４）。
【００５２】
なお、ステップＳ１０１では、携帯端末３とは別の識別体から個人ＩＤが読み取られてもよい。この場合、ステップＳ１０６では、例えば、携帯端末３を特定する識別情報が設備機器制御装置１に対して送信される。この場合であっても、携帯端末３の識別情報が利用者の個人ＩＤと関連付けられた状態で設備機器制御装置１又は入退管理装置４等に記憶されていれば、ステップＳ１０７以降の動作を行うことが可能である。
【００５３】
図５は、実施の形態１における建物内のレイアウトの一例を示す模式図である。
【００５４】
図５に示す部屋Ａ、部屋Ｂ、部屋Ｃ及び部屋Ｄは、互いに異なる管理対象エリアとして設定されている。各部屋のドア５付近には、当該ドア５に対応するリーダー７が設置されている。
【００５５】
部屋Ａの内部には、区画Ａ１、区画Ａ２、区画Ａ３及び区画Ａ４が設定されている。各区画には、空調装置２ａ及び照明器具２ｂが１つずつ設置されている。
【００５６】
部屋Ｂの内部には、区画Ｂ１、区画Ｂ２、区画Ｂ３及び区画Ｂ４が設定されている。各区画には、空調装置２ａ及び照明器具２ｂが１つずつ設置されている。
【００５７】
部屋Ｃの内部には、区画Ｃ１、区画Ｃ２、区画Ｃ３及び区画Ｃ４が設定されている。各区画には、空調装置２ａ及び照明器具２ｂが１つずつ設置されている。
【００５８】
部屋Ｄの内部には、区画Ｄ１、区画Ｄ２、区画Ｄ３及び区画Ｄ４が設定されている。各区画には、空調装置２ａ及び照明器具２ｂが１つずつ設置されている。
【００５９】
図６は、実施の形態１における権限テーブルの一例である。図６は、図５に示す管理対象エリアに対応する権限テーブルを例示している。
【００６０】
図６に示す権限テーブルには、３人の利用者の操作権限を示す権限情報が登録されている。１つの権限情報は、１つの個人ＩＤと関連付けられている。「００１」という個人ＩＤを持つ利用者については、１つの権限情報が登録されている。「００２」という個人ＩＤを持つ利用者については、１つの権限情報が登録されている。「００３」という個人ＩＤを持つ利用者については、２つの権限情報が登録されている。
【００６１】
図６に示すように、権限テーブルの項目としては、例えば、「許可エリア」、「許可区画」、「機器情報」、「画面情報」及び「その他」が設定される。「許可エリア」は、利用者による設備機器２の操作が許可されている管理対象エリアを示す。「許可区画」は、利用者による設備機器２の操作が許可されている区画を示す。「機器情報」は、利用者による操作が許可されている設備機器２を示す。「画面情報」は、操作権限に対応する設備操作画面を示す。「その他」は、例えば、利用者ごとに個別に設定された詳細な権限を示す。「その他」は、例えば、設備機器２の機能のうち利用者による操作が許可されている機能を示す。
【００６２】
図７は、実施の形態１における設備操作画面の第２の例を示す図である。図８は、実施の形態１における設備操作画面の第３の例を示す図である。図９は、実施の形態１における設備操作画面の第４の例を示す図である。図１０は、実施の形態１における設備操作画面の第５の例を示す図である。図７から図１０は、図６に示す権限テーブルに登録されている権限情報のいずれかに対応する設備操作画面を例示している。
【００６３】
図７は、画面情報「１」に対応する設備操作画面を示す。この設備操作画面は、空調ＯＮボタン、空調ＯＦＦボタン、照明ＯＮボタン及び照明ＯＦＦボタンを備えている。
【００６４】
図８は、画面情報「２」に対応する設備操作画面を示す。この設備操作画面は、照明ＯＮボタン及び照明ＯＦＦボタンを備えている。
【００６５】
図９は、画面情報「３」に対応する設備操作画面を示す。この設備操作画面は、設定温度上昇ボタン及び設定温度下降ボタンを備えている。
【００６６】
図１０は、画面情報「４」に対応する設備操作画面を示す。この設備操作画面は、照明ＯＮボタン及び照明ＯＦＦボタンを備えている。
【００６７】
以下、図５から図１０を参照して、設備操作画面の具体例を説明する。
【００６８】
個人ＩＤ「００１」の利用者には、部屋Ａの区画Ａ１に設置されている空調装置２ａ及び照明器具２ｂの操作権限が与えられている。ただし、当該利用者に与えられた空調装置２ａの操作権限は、電源をＯＮ及びＯＦＦする権限のみである。つまり、当該利用者は、設定温度、風量及び風向等を変更する権限を持たない。部屋Ａの室内で設備操作用アプリケーションを起動すると、当該利用者の携帯端末３には、図７に示す設備操作画面が表示される。
【００６９】
個人ＩＤ「００２」の利用者には、部屋Ｂの区画Ｂ３に設置されている照明器具２ｂの操作権限が与えられている。部屋Ｂの室内で設備操作用アプリケーションを起動すると、当該利用者の携帯端末３には、図８に示す設備操作画面が表示される。
【００７０】
個人ＩＤ「００３」の利用者には、部屋Ｃの区画Ｃ２に設置されている空調装置２ａの操作権限及び部屋Ｄの区画Ｄ４に設置されている照明器具２ｂの操作権限が与えられている。当該利用者に与えられた空調装置２ａの操作権限は、設定温度を変更する権限を含んでいる。部屋Ｃの室内で設備操作用アプリケーションを起動すると、当該利用者の携帯端末３には、図１０に示す設備操作画面は表示されず、図９に示す設備操作画面が表示される。部屋Ｄの室内で設備操作用アプリケーションを起動すると、当該利用者の携帯端末３には、図９に示す設備操作画面は表示されず、図１０に示す設備操作画面が表示される。
【００７１】
このように、利用者の操作権限に対応する管理対象エリアに当該利用者が居る場合に、当該操作権限に応じた設備操作画面が当該利用者の携帯端末３に表示される。また、例えば、複数の管理対象エリアに対応する操作権限が１人の利用者に与えられている場合は、当該利用者が現在居る１つの管理対象エリアに対応する操作権限に応じた設備操作画面だけが当該利用者の携帯端末３に表示される。
【００７２】
実施の形態１によれば、設備機器制御装置１は、機器制御部９を備える。機器制御部９は、入退管理装置４から取得された情報に基づいて利用者が建物内のいずれかの管理対象エリアに入場したことが検出された場合に、当該利用者の端末装置に対する操作に基づいて当該管理対象エリアに設置されている設備機器２を制御する。また、機器制御部９は、当該利用者の端末装置に対する操作に基づいて他の管理対象エリアに設置されている設備機器２を制御しない。このため、セキュリティ上の問題が生じることを防止しつつ、利用者の端末装置を用いて設備機器２を操作することができる。特に、頻繁に操作され得る空調装置２ａ及び照明器具２ｂの少なくとも一方を端末装置から操作可能とすれば、利便性を大きく向上させることができる。
【００７３】
実施の形態１によれば、設備機器制御装置１は、権限情報送信部１２を更に備える。権限情報送信部１２は、管理対象エリアに入場した利用者の端末装置に対し、予め作成された権限テーブルに登録されている当該利用者の権限情報を送信する。機器制御部９は、権限情報送信部１２から受信した権限情報に応じて利用者の端末装置に表示された設備操作画面に対する操作に基づいて、当該利用者が入場した管理対象エリアに設置されている設備機器２を制御する。このため、セキュリティ上の問題が生じることを防止できる。
【００７４】
実施の形態１によれば、機器制御部９は、例えば、利用者の端末装置に対する操作に基づいて、建物内の複数の管理対象エリアのうち権限テーブルにおいて当該利用者の権限情報に含まれている管理対象エリアに設置されている設備機器２を制御する。また、機器制御部９は、例えば、当該利用者の権限情報に含まれていない管理対象エリアに設置されている設備機器２を制御しない。このため、セキュリティ上の問題が生じることを防止できる。また、１つの建物内で制御対象となる設備機器２の数が限られるため、利用者の行う操作が煩雑になることを防止できる。
【００７５】
実施の形態１によれば、機器制御部９は、例えば、利用者の端末装置に対する操作に基づいて、利用者が入場した管理対象エリアに設置されている複数の設備機器２のうち権限テーブルにおいて当該利用者の権限情報に含まれている１つ又は複数の設備機器を制御する。また、機器制御部９は、例えば、当該利用者の権限情報に含まれていない設備機器２を制御しない。このため、セキュリティ上の問題が生じることを防止できる。また、１つのエリア内で制御対象となる設備機器２の数が限られるため、利用者の行う操作が煩雑になることを防止できる。
【００７６】
実施の形態１によれば、機器制御部９は、例えば、利用者の端末装置に対する操作に基づいて、設備機器２の複数の機能のうち権限テーブルにおいて当該利用者の権限情報に含まれている１つ又は複数の機能を制御する。また、機器制御部９は、例えば、当該利用者の権限情報に含まれていない機能を制御しない。このため、セキュリティ上の問題が生じることを防止できる。また、１つの設備機器２において制御対象となる機能の数が限られるため、利用者の行う操作が煩雑になることを防止できる。
【００７７】
実施の形態１において、機器制御部９は、例えば、利用者が管理対象エリアに入場したことが検出された場合に、設備機器２を制御するために当該利用者の端末装置に対して過去に行われた操作履歴に基づいて、当該管理対象エリアに設置されている同種の設備機器２を制御してもよい。つまり、例えば、管理対象エリア内で利用者が設備操作用アプリケーションを起動した場合に、設備操作画面に対する操作を待たずに、当該利用者の操作履歴から取得された設定温度を空調装置２ａに反映してもよい。この場合、利便性を更に向上させることができる。なお、利用者による操作履歴は、例えば、個人ＩＤと関連付けられた状態で設備機器制御装置１等に記憶されればよい。
【００７８】
実施の形態１において、機器制御部９は、例えば、利用者が管理対象エリアに入場したことが検出されてから一定時間が経過した場合に、当該利用者の端末装置に対する操作に基づく当該管理対象エリアに設置されている設備機器２の制御を終了してもよい。この場合、セキュリティを向上させることができる。
【００７９】
実施の形態１において、機器制御部９は、例えば、利用者が第１の管理対象エリアに入場したことが検出された後に当該利用者が第２の管理対象エリアに入場したことが検出された場合に、当該利用者の端末装置に対する操作に基づく第１の管理対象エリアに設置されている設備機器２の制御を終了してもよい。つまり、利用者が最初に入った部屋から別の部屋へ移動した場合には、最初に入った部屋に設置されている設備機器２の制御が終了されてもよい。この場合、セキュリティを向上させることができる。
【００８０】
実施の形態１において、入退管理システムは、例えば、利用者が管理対象エリアから退場する際にも個人ＩＤの認証を行ってもよい。また、入退管理システムは、例えば、利用者が建物から出る際にも個人ＩＤの認証を行ってもよい。これらの場合、設備機器制御装置１は、例えば、入退管理装置４に対して個人ＩＤの問い合わせを定期的に行うことで、利用者が管理対象エリアから退場したこと又は利用者が建物から出たことを検出できる。
【００８１】
実施の形態１において、機器制御部９は、例えば、利用者が管理対象エリアから退場したことが検出された場合に、当該利用者の端末装置に対する操作に基づく当該管理対象エリアに設置されている設備機器２の制御を終了してもよい。この場合、セキュリティを向上させることができる。
【００８２】
実施の形態１において、機器制御部９は、例えば、利用者が建物から出たことが検出された場合に、当該利用者の端末装置に対する操作に基づく管理対象エリアに設置されている設備機器２の制御を終了してもよい。この場合、セキュリティを向上させることができる。
【００８３】
実施の形態１において、利用者が使用する端末装置は、例えば、管理対象エリアに設置されたパソコン等であってもよい。端末装置は、例えば、建物内の有線ネットワークを介して設備機器制御装置１と通信してもよい。この場合も、利用者の端末装置を用いて設備機器２を操作することができる。
【００８４】
実施の形態１において、機器制御部９は、例えば、利用者が管理対象エリアに入場したことが検出された場合に、当該利用者の端末装置に対する操作に基づいて当該管理対象エリアに設置されている全ての設備機器２を制御してもよい。この場合、高いセキュリティが必要とされないのであれば、利便性を更に向上させることができる。
【００８５】
図１１は、設備機器制御装置のハードウェア構成図である。
【００８６】
設備機器制御装置１における機器制御部９、エリア情報取得部１０、権限情報送信部１２及び記憶部１３の各機能は、処理回路により実現される。処理回路は、専用ハードウェア５０であってもよい。処理回路は、プロセッサ５１およびメモリ５２を備えていてもよい。処理回路は、一部が専用ハードウェア５０として形成され、更にプロセッサ５１およびメモリ５２を備えていてもよい。図１１は、処理回路が、その一部が専用ハードウェア５０として形成され、プロセッサ５１およびメモリ５２を備えている場合の例を示している。
【００８７】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００８８】
処理回路が少なくとも１つのプロセッサ５１および少なくとも１つのメモリ５２を備える場合、設備機器制御装置１の各機能は、ソフトウェア、ファームウェア、又はソフトウェアとファームウェアとの組み合わせにより実現される。ソフトウェアおよびファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００８９】
このように、処理回路は、ハードウェア、ソフトウェア、ファームウェア、又はこれらの組み合わせによって、設備機器制御装置１の各機能を実現することができる。なお、端末装置及び入退管理装置４の各機能も、図１１に示す処理回路と同様の処理回路により実現される。
【産業上の利用可能性】
【００９０】
以上のように、この発明は、利用者の端末装置を用いて設備機器を操作するシステムに利用できる。
【符号の説明】
【００９１】
１  設備機器制御装置
２  設備機器
２ａ  空調装置
２ｂ  照明器具
３  携帯端末
４  入退管理装置
５  ドア
６  電気錠
７  リーダー
８  サーバー
９  機器制御部
１０  エリア情報取得部
１１  機器情報取得部
１２  権限情報送信部
１３  記憶部
５０  専用ハードウェア
５１  プロセッサ
５２  メモリ
【図１】
2019064536.tif 000003
【図２】
2019064536.tif 000004
【図３】
2019064536.tif 000005
【図４】
2019064536.tif 000006
【図５】
2019064536.tif 000007
【図６】
2019064536.tif 000008
【図７】
2019064536.tif 000009
【図８】
2019064536.tif 000010
【図９】
2019064536.tif 000011
【図１０】
2019064536.tif 000012
【図１１】
2019064536.tif 000013
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
建物内の複数の管理対象エリアへの入退を管理する入退管理装置から取得された情報に基づいて利用者が管理対象エリアに入場したことが検出された場合に、当該利用者の端末装置に対する操作に基づいて当該管理対象エリアに設置されている設備機器を制御する機器制御部と、
管理対象エリアに入場した利用者の端末装置に対し、予め作成された権限テーブルに登録されている当該利用者の権限情報を送信する権限情報送信部と、
を備え、
前記機器制御部は、前記権限情報送信部から受信した権限情報に応じて利用者の端末装置に表示された設備操作画面に対する操作に基づいて、建物内の管理対象エリアのうち前記権限テーブルにおいて当該利用者の権限情報に含まれている管理対象エリアに設置されている設備機器を制御する設備機器制御装置。
【請求項２】
前記機器制御部は、利用者の端末装置に対する操作に基づいて、利用者が入場した管理対象エリアに設置されている設備機器のうち前記権限テーブルにおいて当該利用者の権限情報に含まれている設備機器を制御する請求項１に記載の設備機器制御装置。
【請求項３】
前記機器制御部は、利用者の端末装置に対する操作に基づいて、設備機器の機能のうち前記権限テーブルにおいて当該利用者の権限情報に含まれている機能を制御する請求項１または請求項２に記載の設備機器制御装置。
【請求項４】
前記機器制御部は、利用者が管理対象エリアに入場したことが検出された場合に、設備機器を制御するために当該利用者の端末装置に対して過去に行われた操作履歴に基づいて、当該管理対象エリアに設置されている同種の設備機器を制御する請求項１から請求項３のいずれか１項に記載の設備機器制御装置。
【請求項５】
前記機器制御部は、利用者が第１の管理対象エリアに入場したことが検出された後に当該利用者が第２の管理対象エリアに入場したことが検出された場合に、当該利用者の端末装置に対する操作に基づく第１の管理対象エリアに設置されている設備機器の制御を終了する請求項１から請求項４のいずれか１項に記載の設備機器制御装置。
【請求項６】
前記機器制御部は、利用者が管理対象エリアから退場したことが検出された場合に、当該利用者の端末装置に対する操作に基づく当該管理対象エリアに設置されている設備機器の制御を終了する請求項１から請求項５のいずれか１項に記載の設備機器制御装置。
【請求項７】
前記機器制御部は、利用者が建物から出たことが検出された場合に、当該利用者の端末装置に対する操作に基づく管理対象エリアに設置されている設備機器の制御を終了する請求項１から請求項６のいずれか１項に記載の設備機器制御装置。
【請求項８】
前記機器制御部は、管理対象エリアに設置されている空調装置及び照明器具の少なくとも一方を制御する請求項１から請求項７のいずれか１項に記載の設備機器制御装置。
【手続補正２】
【補正対象書類名】明細書
【補正対象項目名】０００６
【補正方法】変更
【補正の内容】
【０００６】
この発明に係る設備機器制御装置は、建物内の複数の管理対象エリアへの入退を管理する入退管理装置から取得された情報に基づいて利用者が管理対象エリアに入場したことが検出された場合に、当該利用者の端末装置に対する操作に基づいて当該管理対象エリアに設置されている設備機器を制御する機器制御部と、管理対象エリアに入場した利用者の端末装置に対し、予め作成された権限テーブルに登録されている当該利用者の権限情報を送信する権限情報送信部と、を備え、前記機器制御部は、前記権限情報送信部から受信した権限情報に応じて利用者の端末装置に表示された設備操作画面に対する操作に基づいて、建物内の管理対象エリアのうち前記権限テーブルにおいて当該利用者の権限情報に含まれている管理対象エリアに設置されている設備機器を制御する。
【国際調査報告】
2019064536.tif 000014
2019064536.tif 000015
2019064536.tif 000016
2019064536.tif 000017